(57)【要約】【課題】記憶容量の増大を招くことなく、装置内の状態の推移を詳細に把握することができる画像処理装置、画像処理システム、および画像処理プログラムを提供する。【解決手段】画像形成部１４による画像に関する処理を行うにあたり、予め定められた第１の期間内に温度センサ１４Ｂにより画像形成部１４の温度を測定し、第１の期間内に温度センサ１４Ｂにより測定された温度の最高値および最低値を複数の期間分保持する。【選択図】図３
2015102816.tif 000002
【特許請求の範囲】
【請求項１】
画像に関する処理を行う処理手段と、
前記処理手段による処理に関する物理量を測定する測定手段と、
予め定められた第１の期間内に前記測定手段により測定された前記物理量の最高値、最低値、および中間値の少なくとも１つを複数の期間分保持する保持手段と、
を備えた画像処理装置。
【請求項２】
前記保持手段は、前記第１の期間の開始から前記第１の期間に達するまで、前記第１の期間より短い第２の期間毎に、前記測定手段によって測定された現在の物理量、および予め定められた第１の記憶領域に前回記憶した物理量のうち、最高値、最低値、および中間値の少なくとも１つを、記憶された値を更新するように前記第１の記憶領域に記憶することを繰り返し、前記第１の期間に達する毎に、前記第１の記憶領域に記憶されている前記最高値、最低値、および中間値の少なくとも１つを前記第１の記憶領域とは異なる第２の記憶領域に記憶すると共に、前記測定手段によって測定された現在の物理量を、記憶された値を更新するように前記第１の記憶領域に記憶することによる当該第１の記憶領域の初期化を行うことにより、前記物理量の最高値、最低値、および中間値の少なくとも１つを複数の期間分保持する
請求項１記載の画像処理装置。
【請求項３】
前記保持手段により保持された前記最高値、最低値、および中間値の少なくとも１つが外部から取得されたことを検知する検知手段をさらに備え、
前記保持手段は、前記初期化を、前記第１の期間に達する毎に行うことに代えて前記検知手段により検知された毎に行う
請求項２記載の画像処理装置。
【請求項４】
前記物理量は、温度および湿度の少なくとも一方である
請求項１〜請求項３の何れか１項記載の画像処理装置。
【請求項５】
請求項１〜請求項４の何れか１項記載の画像処理装置と、
予め定められた第３の期間毎に前記複数の期間分の前記最高値、最低値、および中間値の少なくとも１つを取得する取得手段、および前記取得手段により取得された前記複数の期間分の前記最高値、最低値、および中間値の少なくとも１つを記憶する記憶手段を備えた情報処理装置と、
を含む画像処理システム。
【請求項６】
前記情報処理装置は、前記記憶手段により記憶された前記複数の期間分の前記最高値、最低値、および中間値の少なくとも１つに基づいて、前記画像処理装置の状態を診断する診断手段をさらに備えた
請求項５記載の画像処理システム。
【請求項７】
前記第３の期間は、前記第１の期間以上の長さの期間である
請求項５または請求項６記載の画像処理システム。
【請求項８】
コンピュータを、請求項１〜４の何れか１項に記載の画像処理装置の保持手段として機能させるための画像処理プログラム。
【発明の詳細な説明】
【技術分野】
【０００１】
本発明は、画像処理装置、画像処理システム、および画像処理プログラムに関する。
【背景技術】
【０００２】
特許文献１には、交換可能な消耗品が装着される複数の画像形成装置について、前記各画像形成装置の消耗品の寿命時期を予測する寿命予測システムであって、前記各画像形成装置の消耗品の劣化度合いを、消耗品の劣化による現象を検出することにより判定する劣化判定手段と、前記各画像形成装置についての、消耗品の使用条件と、消耗品の使用量と、前記劣化判定手段により判定された消耗品の劣化度合いとに関する情報を収集する情報収集手段と、前記情報収集手段により収集された複数の画像形成装置の情報に基づき、消耗品の使用条件と使用量と劣化度合いとの関係を統計的に求める統計処理手段と、前記各画像形成装置の消耗品の予測寿命使用量を、前記統計処理手段により求められた関係に基づき、当該画像形成装置での消耗品の使用条件から求める寿命予測手段と、を有することを特徴とする寿命予測システムが開示されている。
【０００３】
特許文献２には、ネットワークに接続される機器の中から監視対象とされた機器の機器情報及び消耗品の状態情報を取得し、該消耗品の状態情報から消耗品の不足を判定し、不足と判定された消耗品に関する機器情報及び消耗品の状態情報を発注支援装置に送信する機器監視装置と、前記不足と判定された消耗品に関する機器情報及び前記状態情報を受信し、当該状態情報に係る消耗品の発注用のＷｅｂページを示すＵＲＬが記載された電子メールを作成し、当該機器に予め関連付けられて登録されているメールアドレスに送信する前記発注支援装置とを備えた発注支援システムであって、前記機器が消耗品の補給に関する保守契約の対象とされ得る機器であるか否かを判定する第一の判定手段を有し、前記保守契約の対象とされ得る機器であると判定された機器は、前記監視対象としないことを特徴とする発注支援システムが開示されている。
【先行技術文献】
【特許文献】
【０００４】
【特許文献１】特開２００７−１９９６４２号公報
【特許文献２】特開２００８−１５９０２２号公報
【発明の概要】
【発明が解決しようとする課題】
【０００５】
本発明は、記憶容量の増大を招くことなく、装置内の状態の推移を詳細に把握することができる画像処理装置、画像処理システム、および画像処理プログラムを提供することを目的とする。
【課題を解決するための手段】
【０００６】
上記目的を達成するために、請求項１に記載の画像処理装置は、画像に関する処理を行う処理手段と、前記処理手段による処理に関する物理量を測定する測定手段と、予め定められた第１の期間内に前記測定手段により測定された前記物理量の最高値、最低値、および中間値の少なくとも１つを複数の期間分保持する保持手段と、を備えている。
【０００７】
また、請求項２に記載の発明は、請求項１に記載の発明において、前記保持手段が、前記第１の期間の開始から前記第１の期間に達するまで、前記第１の期間より短い第２の期間毎に、前記測定手段によって測定された現在の物理量、および予め定められた第１の記憶領域に前回記憶した物理量のうち、最高値、最低値、および中間値の少なくとも１つを、記憶された値を更新するように前記第１の記憶領域に記憶することを繰り返し、前記第１の期間に達する毎に、前記第１の記憶領域に記憶されている前記最高値、最低値、および中間値の少なくとも１つを前記第１の記憶領域とは異なる第２の記憶領域に記憶すると共に、前記測定手段によって測定された現在の物理量を、記憶された値を更新するように前記第１の記憶領域に記憶することによる当該第１の記憶領域の初期化を行うことにより、前記物理量の最高値、最低値、および中間値の少なくとも１つを複数の期間分保持するものである。
【０００８】
また、請求項３に記載の発明は、請求項２に記載の発明において、前記保持手段により保持された前記最高値、最低値、および中間値の少なくとも１つが外部から取得されたことを検知する検知手段をさらに備え、前記保持手段が、前記初期化を、前記第１の期間に達する毎に行うことに代えて前記検知手段により検知された毎に行うものである。
【０００９】
さらに、請求項４に記載の発明は、請求項１〜請求項３の何れか１項に記載の発明において、前記物理量が、温度および湿度の少なくとも一方であるものである。
【００１０】
一方、上記目的を達成するために、請求項５に記載の画像処理システムは、請求項１〜請求項４の何れか１項記載の画像処理装置と、予め定められた第３の期間毎に前記複数の期間分の前記最高値、最低値、および中間値の少なくとも１つを取得する取得手段、および前記取得手段により取得された前記複数の期間分の前記最高値、最低値、および中間値の少なくとも１つを記憶する記憶手段を備えた情報処理装置と、を含む。
【００１１】
また、請求項６に記載の発明は、請求項５に記載の発明において、前記情報処理装置が、前記記憶手段により記憶された前記複数の期間分の前記最高値、最低値、および中間値の少なくとも１つに基づいて、前記画像処理装置の状態を診断する診断手段をさらに備えている。
【００１２】
さらに、請求項７に記載の発明は、請求項５または請求項６に記載の発明において、前記第３の期間が、前記第１の期間以上の長さの期間であるものである。
【００１３】
一方、上記目的を達成するために、請求項８に記載の画像処理プログラムは、コンピュータを、請求項１〜４の何れか１項に記載の画像処理装置の保持手段として機能させるためのものである。
【発明の効果】
【００１４】
請求項１、請求項５、請求項８に記載の発明によれば、測定した物理量の全てを逐次連続的に保持する場合に比較して、記憶容量の増大を招くことがない、という効果が得られる。
【００１５】
請求項２に記載の発明によれば、本発明の初期化を行わない場合に比較して、より簡易な処理によって、複数の期間分の物理量を保持することができる、という効果が得られる。
【００１６】
請求項３に記載の発明によれば、本発明を適用しない場合に比較して、より効率的に複数の期間分の物理量を保持することができる、という効果が得られる。
【００１７】
請求項４に記載の発明によれば、物理量として温度および湿度の少なくとも一方を適用しない場合に比較して、より高いレベルで装置内の環境状態に応じた状態の推移を詳細に把握することができる、という効果が得られる。
【００１８】
請求項６に記載の発明によれば、本発明を適用しない場合に比較して、記憶容量の増大を招くことなく、画像処理装置の状態を診断することができる、という効果が得られる。
【００１９】
請求項７に記載の発明によれば、本発明の第３の期間が第１の期間未満の期間である場合に比較して、情報処理装置が同じ情報を複数回取得することによる無駄な処理の発生を抑制することができる、という効果が得られる。
【図面の簡単な説明】
【００２０】
【図１】実施の形態に係る画像処理システムの概略構成図である。
【図２】実施の形態に係る画像処理装置の要部斜視図である。
【図３】実施の形態に係る画像処理装置の電気系の要部構成を示すブロック図である。
【図４】実施の形態に係る情報処理装置の電気系の要部構成を示すブロック図である。
【図５】第１の実施の形態に係る画像処理システムの機能的な構成を示す機能ブロック図である。
【図６】第１の実施の形態に係る画像処理装置の状態の診断に用いる情報の一例を示す模式図である。
【図７】第１の実施の形態に係る情報保持処理プログラムの処理の流れを示すフローチャートである。
【図８】第１の実施の形態に係る情報保持処理プログラムの説明に供する図であり、画像処理装置に保持される温度に関する情報の推移の一例を示す模式図である。
【図９】第１の実施の形態に係る状態診断処理プログラムの処理の流れを示すフローチャートである。
【図１０】第１の実施の形態に係る情報処理装置に記憶される温度に関する情報の一例を示す模式図である。
【図１１】第１の実施の形態に係る診断結果表示画面の一例を示す概略図である。
【図１２】第１の実施の形態に係る状態診断処理プログラムの説明に供する図であり、情報処理装置に記憶される温度の最高値および最低値の推移の一例を示すグラフである。
【図１３】第２の実施の形態に係る画像処理システムの機能的な構成を示す機能ブロック図である。
【図１４】第２の実施の形態に係る情報保持処理プログラムの処理の流れを示すフローチャートである。
【図１５】第２の実施の形態に係るリセット処理ルーチン・プログラムの処理の流れを示すフローチャートである。
【図１６】第２の実施の形態に係る状態診断処理プログラムの処理の流れを示すフローチャートである。
【図１７】他の実施の形態の説明に供する図であり、情報処理装置に記憶される温度の最高値および最低値の推移の一例を示すグラフである。
【発明を実施するための形態】
【００２１】
以下、図面を参照して、本発明を実施するための形態を詳細に説明する。なお、ここでは、本発明を、複数の画像処理装置と１台の情報処理装置とが通信回線を介して接続され、当該情報処理装置により各画像処理装置を統括的に管理する画像処理システムに適用した場合について説明する。
【００２２】
［第１の実施の形態］
図１には、本実施の形態に係る画像処理システム９０の構成が示されている。
【００２３】
同図に示されるように、本実施の形態に係る画像処理システム９０は、複数の画像処理装置１０Ａ、１０Ｂ、・・・と情報処理装置７０とを備えている。なお、画像処理装置１０Ａ、１０Ｂ、・・・を区別して説明する必要がない場合は、符号末尾のアルファベットを省略して記載することがある。
【００２４】
各画像処理装置１０および情報処理装置７０は、ＬＡＮ（Local Area Network）、ＷＡＮ（Wide Area Network）、インターネット、イントラネット等の予め定められた通信回線８０を介して接続されている。そして、各画像処理装置１０および情報処理装置７０は、通信回線８０を介して各種データの送受信を相互に行う。
【００２５】
図２には、本実施の形態に係る画像処理装置１０の構成が示されている。なお、この画像処理装置１０には、通信回線８０を介して各種データを受信し、受信したデータに基づく画像形成処理を行うプリント機能が搭載されている。また、本実施の形態に係る画像処理装置１０には、原稿に記録された画像を記録紙に複写する複写機能、不図示の電話回線を介して各種データの送信および受信を行うファクシミリ機能等も搭載されている。
【００２６】
同図に示されるように、本実施の形態に係る画像処理装置１０には、装置上部に原稿読取部１２が設けられ、原稿読取部１２の下方に画像形成部１４が配置されている。原稿読取部１２は、原稿カバー１６内に原稿搬送部１８を備えている。原稿搬送部１８は、原稿カバー１６に設けられている原稿給紙部１６Ａ上に載せられた原稿２０を順に引き込んで図示しないプラテンガラス上に搬送して原稿２０に記録された画像の読み取りを行う。また、原稿搬送部１８は、画像の読み取りが終了した原稿２０を原稿カバー１６に設けられている原稿排出部１６Ｂ上に排出する。
【００２７】
また、原稿読取部１２には、ユーザによる各種の指示操作を受け付けるユーザインタフェース２２が設けられている。このユーザインタフェース２２は、ソフトウェアプログラムによって指示操作の受け付けを実現する表示ボタンや各種情報が表示されるタッチパネル式のディスプレイ２４、テンキーやスタートボタン等のハードウェアキー２６等が設けられている。ユーザインタフェース２２は、ディスプレイ２４の表示ボタンやハードウェアキー２６によって複写機能を用いるときの複写枚数の設定や倍率設定、ファクシミリ機能を用いるときの電話機のダイヤルキー等として用いられる。
【００２８】
一方、画像形成部１４は、画像形成用の記録媒体となる記録紙が収容される給紙格納部２８を備えている。画像形成部１４では、給紙格納部２８に収容されている記録紙を、１枚ずつ取り出し、例えば、電子写真プロセスによって画像データに基づいた画像を記録紙に形成する。また、画像形成部１４では、画像形成を行った記録紙を順に図示しない排紙部上へ排出する。
【００２９】
図３には、本実施の形態に係る画像処理装置１０の電気系の要部構成が示されている。
【００３０】
同図に示されるように、本実施の形態に係る画像処理装置１０は、ＣＰＵ（Central Processing Unit）３２、ＲＡＭ（Random Access Memory）３３、およびＲＯＭ（Read Only Memory）３４を含んで構成されたコントロール・ユニット３０が備えられている。ＣＰＵ３２は、画像処理装置１０の全体の動作を司る。ＲＡＭ３３は、ＣＰＵ３２による各種プログラムの実行時のワークエリア等として用いられる。ＲＯＭ３４は、各種制御プログラムや各種パラメータ等が予め記憶される。そして、画像処理装置１０は、コントロール・ユニット３０の各部がシステムバス３６によって電気的に接続されている。
【００３１】
一方、本実施の形態に係る画像処理装置１０は、各種のデータやアプリケーション・プログラム等を記憶する不揮発性の記憶部３５が備えられている。また、画像処理装置１０は、ユーザインタフェース２２に接続され、ユーザインタフェース２２のディスプレイ２４への各種の操作画面等の表示を制御する表示制御部４２が備えられている。また、画像処理装置１０は、ユーザインタフェース２２に接続され、ユーザインタフェース２２を介して入力される操作指示を検出する操作入力検出部４４が備えられている。そして、画像処理装置１０では、記憶部３５、表示制御部４２、および操作入力検出部４４がシステムバス３６に電気的に接続されている。なお、本実施の形態に係る画像処理装置１０では、記憶部３５としてフラッシュメモリを適用しているが、これに限らず、ＨＤＤ（Hard Disk Drive）等の他の不揮発性の記憶手段を適用してもよいことは言うまでもない。
【００３２】
また、本実施の形態に係る画像処理装置１０は、原稿読取部１２による光学的な画像の読み取り動作および原稿搬送部１８による原稿送り動作を制御する読取制御部４６と、画像形成部１４による画像形成処理を制御する画像形成制御部４８と、が備えられている。また、画像処理装置１０は、通信回線８０に接続され、当該通信回線８０に接続された他の外部装置と通信データの送受信を行う通信回線インタフェース（通信回線Ｉ／Ｆ）部５０が備えられている。また、画像処理装置１０は、不図示の電話回線に接続され、当該電話回線に接続されているファクシミリ装置とファクシミリデータの送受信を行うファクシミリインタフェース（ファクシミリＩ／Ｆ）部５４が備えられている。さらに、画像処理装置１０は、ファクシミリインタフェース部５４を介したファクシミリデータの送受信を制御する送受信制御部３８が備えられている。そして、画像処理装置１０では、送受信制御部３８、読取制御部４６、画像形成制御部４８、通信回線インタフェース部５０、およびファクシミリインタフェース部５４がシステムバス３６に電気的に接続されている。
【００３３】
以上の構成により、本実施の形態に係る画像処理装置１０は、ＣＰＵ３２により、ＲＡＭ３３、ＲＯＭ３４、および記憶部３５へのアクセスを各々実行する。また、画像処理装置１０は、ＣＰＵ３２により、表示制御部４２を介したユーザインタフェース２２のディスプレイ２４への操作画面、各種のメッセージ等の情報の表示の制御を実行する。また、画像処理装置１０は、ＣＰＵ３２により、読取制御部４６を介した原稿読取部１２および原稿搬送部１８の作動の制御を実行する。また、画像処理装置１０は、ＣＰＵ３２により、画像形成制御部４８を介した画像形成部１４の作動の制御と、通信回線インタフェース部５０を介した通信データの送受信の制御と、を各々実行する。また、画像処理装置１０は、ＣＰＵ３２により、送受信制御部３８によるファクシミリインタフェース部５４を介したファクシミリデータの送受信の制御を実行する。さらに、画像処理装置１０は、ＣＰＵ３２により、操作入力検出部４４によって検出された操作情報に基づくユーザインタフェース２２における操作内容の把握が行われ、この操作内容に基づく各種の制御を実行する。
【００３４】
一方、本実施の形態に係る画像処理装置１０は、画像を記録紙に形成する際に、加熱および加圧によって当該画像を記録紙に定着させる定着器１４Ａと、定着器１４Ａの温度を検出するための温度センサ１４Ｂとが画像形成部１４に設けられている。ＣＰＵ３２は、温度センサ１４Ｂによって検出された温度を示す情報（以下、「検出温度情報」という。）を画像形成制御部４８およびシステムバス３６を介して取得する。
【００３５】
次に、図４を参照して、本実施の形態に係る情報処理装置７０の電気系の要部構成について説明する。
【００３６】
同図に示されるように、本実施の形態に係る情報処理装置７０は、ＣＰＵ７０Ａ、ＲＡＭ７０Ｂ、ＲＯＭ７０Ｃ、不揮発性の記憶部７０Ｄ、キーボード７０Ｅ、ディスプレイ７０Ｆ、および通信回線インタフェース（通信回線Ｉ／Ｆ）部７０Ｇが備えられている。ＣＰＵ７０Ａは、情報処理装置７０の全体の動作を司る。ＲＡＭ７０Ｂは、ＣＰＵ７０Ａによる各種プログラムの実行時のワークエリア等として用いられる。ＲＯＭ７０Ｃは、各種制御プログラムや各種パラメータ等が予め記憶される。記憶部７０Ｄは、各種のデータやアプリケーション・プログラム等が記憶される。キーボード７０Ｅは各種の情報を入力するために用いられる。ディスプレイ７０Ｆは、各種の情報を表示するために用いられる。通信回線インタフェース部７０Ｇは、通信回線８０に接続され、当該通信回線８０に接続された他の装置と各種データの送受信を行う。以上の情報処理装置７０の各部はシステムバス７０Ｈにより電気的に相互に接続されている。なお、本実施の形態に係る情報処理装置７０では、記憶部７０ＤとしてＨＤＤを適用しているが、これに限らず、フラッシュメモリ等の他の不揮発性の記憶手段を適用してもよいことは言うまでもない。
【００３７】
以上の構成により、本実施の形態に係る情報処理装置７０は、ＣＰＵ７０Ａにより、ＲＡＭ７０Ｂ、ＲＯＭ７０Ｃ、および記憶部７０Ｄに対するアクセス、キーボード７０Ｅを介した各種データの取得、ディスプレイ７０Ｆに対する各種情報の表示を各々実行する。また、情報処理装置７０は、ＣＰＵ７０Ａにより、通信回線インタフェース部７０Ｇを介した通信データの送受信の制御を実行する。
【００３８】
ところで、本実施の形態に係る画像処理装置１０には、当該画像処理装置１０の装置内における状態の推移の把握に役立てるため、検出温度情報に関する情報を時系列順で連続的に保持する情報保持機能が搭載されている。これに対し、本実施の形態に係る情報処理装置７０には、情報保持機能により画像処理装置１０に保持された情報を予め定められたタイミングで間欠的に取得し、当該情報に基づいて、画像処理装置１０の装置内の状態を診断する状態診断機能が搭載されている。
【００３９】
図５には、本実施の形態に係る画像処理システム９０において、画像処理装置１０による情報保持機能および情報処理装置７０による状態診断機能を実行する際の機能的な構成を示す機能ブロック図が示されている。
【００４０】
同図に示されるように、本実施の形態に係る画像処理装置１０のコントロール・ユニット３０は保持部３０Ａを備えている。
【００４１】
本実施の形態に係る保持部３０Ａは、予め定められた第１の期間（本実施の形態では、２時間。）内に温度センサ１４Ｂにより測定された温度の最高値および最低値を複数の期間分、記憶部３５に保持する。ここで、保持部３０Ａは、第１の期間の開始から当該第１の期間に達するまで、第１の期間より短い第２の期間（本実施の形態では、１０分。）毎に、温度センサ１４Ｂによって測定された現在の温度（以下、「現在温度」という。）、および記憶部３５の予め定められた第１の記憶領域３５Ａに前回記憶した温度のうち、最高値および最低値を、記憶された値を更新するように第１の記憶領域３５Ａに記憶することを繰り返す。そして、保持部３０Ａは、第１の期間に達する毎に、第１の記憶領域３５Ａに記憶されている温度の最高値および最低値を第１の記憶領域３５Ａとは異なる第２の記憶領域３５Ｂに記憶する。これと共に、保持部３０Ａは、現在温度を、記憶された値を更新するように第１の記憶領域３５Ａに記憶することによる第１の記憶領域３５Ａの初期化を行うことにより、温度の最高値および最低値を複数の期間分保持する。なお、以下では、上記初期化を「リセット」ともいう。
【００４２】
より具体的には、本実施の形態に係る保持部３０Ａは、上記リセットとして以下の処理を行う。まず、保持部３０Ａは、直近の第１の期間（以下、「直近期間」という。）の１つ前の第１の期間（以下、「前回期間」という。）内の温度の最高値（以下、「前回期間最高温度」という。）として、第１の記憶領域３５Ａに記憶されている直近期間内の温度の最高値（以下、「直近期間最高温度」という。）を第２の記憶領域３５Ｂに記憶する。また、保持部３０Ａは、直近期間最高温度として、現在温度を第１の記憶領域３５Ａに記憶する。
【００４３】
また、保持部３０Ａは、前回期間内の温度の最低値（以下、「前回期間最低温度」という。）として、第１の記憶領域３５Ａに記憶されている直近期間内の温度の最低値（以下、「直近期間最低温度」という。）を第２の記憶領域３５Ｂに記憶する。さらに、保持部３０Ａは、直近期間最低温度として、現在温度を第１の記憶領域３５Ａに記憶する。
【００４４】
一方、図５に示されるように、本実施の形態に係る情報処理装置７０は、取得部７０Ｉおよび診断部７０Ｊを備えている。
【００４５】
本実施の形態に係る取得部７０Ｉは、予め定められた第３の期間（本実施の形態では、２時間。）毎に、画像処理装置１０の記憶部３５に記憶されている直近期間最高温度、直近期間最低温度、前回期間最高温度、および前回期間最低温度（以下、「取得対象温度」という。）を取得し、当該取得対象温度を記憶部７０Ｄに記憶する。このように、本実施の形態に係る情報処理装置７０では、第３の期間として第１の期間と同じ長さの期間を適用しているが、これに限らず、第１の期間より短い期間や、第１の期間より長い期間を第３の期間として適用してもよい。
【００４６】
なお、本実施の形態に係る情報処理装置７０は、上述したように、複数の画像処理装置１０を統括的に管理している。そこで、本実施の形態に係る情報処理装置７０では、取得部７０Ｉは、上記取得対象温度を、当該取得対象温度を取得した画像処理装置１０を特定する情報（以下、「装置特定情報」という。）と関連付けて記憶部７０Ｄに記憶する。ここで、本実施の形態に係る情報処理装置７０では、上記装置特定情報として、ＩＰ（Internet Protocol）アドレスを適用しているが、これに限らず、例えばＭＡＣ（Media Access Control）アドレス等の他の情報を適用してもよいことは言うまでもない。
【００４７】
一方、本実施の形態に係る診断部７０Ｊは、記憶部７０Ｄに記憶された取得対象温度に基づいて、各画像処理装置１０の状態を診断し、診断結果を示す情報をディスプレイ７０Ｆにより表示する。ここで、本実施の形態に係る診断部７０Ｊでは、上記取得対象温度に基づいて、画像形成部１４が、記録紙に画像を形成している状態（以下、「プリント状態」という。）、および停止している状態（以下、「停止状態」という。）の何れの状態であるかを診断する。なお、本実施の形態に係る診断部７０Ｊでは、当該停止状態に、画像処理装置１０の電源スイッチがオフ状態とされている状態も含むものとしている。また、本実施の形態に係る情報処理装置７０では、この診断に用いる情報（以下、「診断情報」という。）が記憶部７０Ｄに予め記憶されている。
【００４８】
図６には、本実施の形態に係る診断情報の一例が模式的に示されている。
【００４９】
同図に示されるように、本実施の形態に係る診断情報は、最高温度変化状態、最低温度変化情報、閾値、および装置状態の各情報を含んで構成されている。なお、同図における‘−’は、該当する情報がないことを示している。
【００５０】
ここで、上記最高温度変化状態は、上述した直近期間最高温度の前回期間最高温度からの変化の状態を示す情報であり、上記最低温度変化状態は、上述した直近期間最低温度の前回期間最低温度からの変化の状態を示す情報である。また、上記閾値は、対応する最高温度変化状態および最低温度変化状態の組み合わせに加えて、さらに判断の基準となる温度以上であるか、または当該温度未満であるかを示す情報である。さらに、上記装置状態は、対応する最高温度変化状態、最低温度変化状態、および閾値の組み合わせに対応して判断される診断結果を示す情報である。
【００５１】
同図に示す例では、例えば、直近期間最高温度が前回期間最高温度から上昇し、かつ直近期間最低温度が前回期間最低温度と等しい場合、上記直近期間にプリント状態が継続していたことを示す。また、例えば、直近期間最高温度が前回期間最高温度と等しく、さらに、直近期間最低温度が前回期間最低温度と等しく、かつ直近期間最高温度が予め定められた閾値（一例として２０度）以上の場合、上記直近期間にプリント状態が継続していたことを示す。さらに、例えば、直近期間最高温度が前回期間最高温度から上昇し、かつ直近期間最低温度も前回期間最低温度から上昇している場合、上記直近期間に少なくともプリント状態となっていた期間が含まれていたことを示す。
【００５２】
ところで、以上のように構成された画像処理装置１０の保持部３０Ａと情報処理装置７０の取得部７０Ｉおよび診断部７０Ｊとの各構成要素による処理は、プログラムを実行することにより、コンピュータを利用してソフトウェア構成により実現してもよい。但し、ソフトウェア構成による実現に限られるものではなく、ハードウェア構成や、ハードウェア構成とソフトウェア構成の組み合わせによって実現してもよいことは言うまでもない。なお、上記各構成要素をハードウェア構成により実現する場合の形態例としては、当該各構成要素と同様の処理を実行する機能素子を作成して適用する形態が例示される。
【００５３】
以下では、上記各構成要素が、上記プログラムを実行することにより、当該各構成要素による処理を実現するものとされている場合について説明する。この場合、対応するプログラムを画像処理装置１０および情報処理装置７０に予めインストールしておく形態や、コンピュータ読み取り可能な記録媒体に格納された状態で提供される形態、有線または無線による通信手段を介して配信される形態等を適用してもよい。
【００５４】
次に、図７を参照して、本実施の形態に係る画像処理装置１０の作用を説明する。なお、図７は、予め定められたタイミングでＣＰＵ３２によって実行される情報保持処理プログラムの処理の流れを示すフローチャートであり、当該プログラムはＲＯＭ３４に予め記憶されている。また、本実施の形態に係る画像処理装置１０では、上記予め定められたタイミングとして、画像処理装置１０の電源スイッチがオン状態とされたタイミングを適用しているが、これに限らない。例えば、上記予め定められたタイミングとして、ユーザにより、ユーザインタフェース２２を介して本情報保持処理プログラムの実行開始を指示する指示入力が行われたタイミング等、他のタイミングを適用してもよいことは言うまでもない。
【００５５】
同図のステップ１００では、ＣＰＵ３２は、温度センサ１４Ｂから画像形成制御部４８を介して現在温度を取得する。
【００５６】
次のステップ１０２では、ＣＰＵ３２は、前回期間最高温度として、後述するステップ１０４またはステップ１１８の処理によって第１の記憶領域３５Ａに記憶された直近期間最高温度を第２の記憶領域３５Ｂに記憶する。なお、本情報保持処理プログラムの実行が開始されて最初にステップ１０２の処理がＣＰＵ３２により実行された場合、第１の記憶領域３５Ａに直近期間最高温度が記憶されていない。この場合、ＣＰＵ３２は、ステップ１０２の処理を実行しないこととする。
【００５７】
次のステップ１０４では、ＣＰＵ３２は、直近期間最高温度として、上記ステップ１００の処理によって取得した現在温度を第１の記憶領域３５Ａに記憶する。
【００５８】
次のステップ１０６では、ＣＰＵ３２は、前回期間最低温度として、後述するステップ１０８またはステップ１２２の処理によって第１の記憶領域３５Ａに記憶された直近期間最低温度を第２の記憶領域３５Ｂに記憶する。なお、本情報保持処理プログラムの実行が開始されて最初にステップ１０６の処理がＣＰＵ３２により実行された場合、第１の記憶領域３５Ａに直近期間最低温度が記憶されていない。この場合も、ＣＰＵ３２は、ステップ１０６の処理を実行しないこととする。
【００５９】
次のステップ１０８では、ＣＰＵ３２は、直近期間最低温度として、上記ステップ１００の処理によって取得した現在温度を第１の記憶領域３５Ａに記憶する。なお、上記ステップ１００〜ステップ１０８の処理が、上述したリセットに相当する。
【００６０】
次のステップ１１０では、ＣＰＵ３２は、予め定められた終了タイミングが到来したか否かを判定し、否定判定となった場合はステップ１１２に移行する。
【００６１】
なお、本実施の形態に係る画像処理装置１０では、上記ステップ１１０の処理において適用する終了タイミングとして、画像処理装置１０の電源スイッチがオフ状態とされたタイミングを適用しているが、これに限らない。例えば、当該終了タイミングとして、ユーザにより、ユーザインタフェース２２を介して本情報保持処理プログラムの終了を指示する指示入力が行われたタイミング等、他のタイミングを適用してもよいことは言うまでもない。
【００６２】
ステップ１１２では、ＣＰＵ３２は、上記ステップ１００または後述するステップ１１４の処理により前回に現在温度を取得してから上記第２の期間が経過したか否かを判定する。ＣＰＵ３２は、この判定が否定判定となった場合は上記ステップ１１０に戻る一方、肯定判定となった場合にはステップ１１４に移行する。
【００６３】
ステップ１１４では、ＣＰＵ３２は、上記ステップ１００と同様の処理により現在温度を取得する。次のステップ１１６では、ＣＰＵ３２は、第１の記憶領域３５Ａから直近期間最高温度を読み出し、直前の上記ステップ１１４の処理によって取得した現在温度が当該直近期間最高温度より高いか否かを判定する。ＣＰＵ３２は、この判定が否定判定となった場合はステップ１２０に移行する一方、肯定判定となった場合にはステップ１１８に移行する。
【００６４】
ステップ１１８では、ＣＰＵ３２は、直近期間最高温度として、直前の上記ステップ１１４の処理によって取得した現在温度を第１の記憶領域３５Ａに記憶した後、後述するステップ１２４に移行する。一方、ステップ１２０では、ＣＰＵ３２は、第１の記憶領域３５Ａから直近期間最低温度を読み出し、直前の上記ステップ１１４の処理によって取得した現在温度が当該直近期間最低温度より低いか否かを判定する。ＣＰＵ３２は、この判定が否定判定となった場合は後述するステップ１２４に移行する一方、肯定判定となった場合にはステップ１２２に移行する。
【００６５】
ステップ１２２では、ＣＰＵ３２は、直近期間最低温度として、直前の上記ステップ１１４の処理によって取得した現在温度を第１の記憶領域３５Ａに記憶する。ステップ１２４では、ＣＰＵ３２は、前回に上記リセットを行ってから上記第１の期間が経過したか否かを判定し、否定判定となった場合は上記ステップ１１０に戻る一方、肯定判定となった場合には上記ステップ１００に戻る。
【００６６】
一方、ＣＰＵ３２は、上記ステップ１１０において肯定判定となった場合、本情報保持処理プログラムを終了する。
【００６７】
図８には、本実施の形態に係る情報保持処理プログラムにより記憶部３５の第１の記憶領域３５Ａおよび第２の記憶領域３５Ｂに逐次記憶される情報（取得対象温度）の推移の一例が示されている。なお、同図では、参考までに、Ｎｏ．、時刻、イベント、温度、実施処理、およびデータ取得タイミングの各情報を併記している。
【００６８】
ここで、上記Ｎｏ．は、情報保持処理プログラムにより取得対象温度の記憶または更新が行われた時系列の順位を示す情報であり、上記時刻は対応する取得対象温度の記憶または更新が行われた時刻を示す情報である。また、上記イベントは、対応する取得対象温度の記憶または更新が行われた際の画像処理装置１０の状態を示す情報であり、上記温度は、対応する取得対象温度の記憶または更新が行われた際に温度センサ１４Ｂにより測定された温度（現在温度）を示す情報である。また、上記実施処理は、対応するタイミングで情報保持処理プログラムにおいて実行されている処理の概要を示す情報である。さらに、上記データ取得タイミングは、情報処理装置７０による、後述する状態診断処理プログラムにより、取得対象温度が読み出される（取得される）タイミングを示す情報である。
【００６９】
図８に示されるように、本実施の形態に係る情報保持処理プログラムは、画像処理装置１０の電源スイッチがオン状態とされるとＣＰＵ３２により実行が開始される。そして、情報保持処理プログラムは、その時点（同図に示す例では、８時の時点）で、まず、ステップ１０４およびステップ１０８の処理により、現在温度を示す情報を第１の記憶領域３５Ａの直近期間最高温度および直近期間最低温度（以下、「直近温度」という。）に対応する記憶領域に記憶する。
【００７０】
その後、情報保持処理プログラムは、第１の期間（本実施の形態では、２時間。）が経過するまで、第２の期間（本実施の形態では、１０分。）が経過する度に、ステップ１１４〜ステップ１２２の処理を繰り返し実行する。すなわち、この繰り返し処理では、情報保持処理プログラムは、第１の記憶領域３５Ａに記憶されている直近温度と現在温度とを比較（図８では、「ピーク判定処理」と標記。）する。そして、情報保持処理プログラムは、現在温度が直近期間最高温度より高い場合、現在温度を示す情報を第１の記憶領域３５Ａの直近期間最高温度に対応する記憶領域に記憶する。これに対し、情報保持処理プログラムは、現在温度が直近期間最低温度より低い場合、現在温度を示す情報を第１の記憶領域３５Ａの直近期間最低温度に対応する記憶領域に記憶する。
【００７１】
情報保持処理プログラムは、第１の期間が経過する度に、ステップ１００〜ステップ１０８の処理を実行することにより、直近温度を示す情報を、各々第２の記憶領域３５Ｂの前回期間最高温度および前回期間最低温度（以下、「前回温度」という。）に対応する記憶領域に記憶する。これと共に、情報保持処理プログラムは、現在温度を示す情報を第１の記憶領域３５Ａの直近温度に対応する記憶領域に記憶する。
【００７２】
そして、本実施の形態に係る情報保持処理プログラムは、画像処理装置１０の電源スイッチがオフ状態とされた時点で、実行が終了される。
【００７３】
このように、本実施の形態に係る情報保持処理プログラムの実行により、第１の期間内に温度センサ１４Ｂにより測定された温度の最高値および最低値が、２つの期間分（前回温度および直近温度）保持される。従って、当該２つの期間分の情報を用いることにより、記憶容量の増大を招くことなく、画像処理装置１０の装置内の状態の推移が詳細に把握される。
【００７４】
次に、図９を参照して、本実施の形態に係る情報処理装置７０の作用を説明する。なお、図９は、予め定められたタイミングでＣＰＵ７０Ａによって実行される状態診断処理プログラムの処理の流れを示すフローチャートであり、当該プログラムはＲＯＭ７０Ｃに予め記憶されている。また、本実施の形態に係る情報処理装置７０では、上記予め定められたタイミングとして、情報処理装置７０の電源スイッチがオン状態とされたタイミングを適用しているが、これに限らない。例えば、上記予め定められたタイミングとして、ユーザにより、キーボード７０Ｅを介して本状態診断処理プログラムの実行開始を指示する指示入力が行われたタイミング等、他のタイミングを適用してもよいことは言うまでもない。
【００７５】
同図のステップ２００では、ＣＰＵ７０Ａは、取得対象温度を画像処理装置１０Ａ、１０Ｂ、・・・のうちの１台の画像処理装置１０（以下、「処理対象装置」という。）から通信回線インタフェース部７０Ｇを介して取得する。次のステップ２０２では、ＣＰＵ７０Ａは、当該取得対象温度を取得した日時と当該取得対象温度と当該処理対象装置の装置特定情報とを関連付けて記憶部７０Ｄに記憶する。
【００７６】
次のステップ２０４では、ＣＰＵ７０Ａは、全ての画像処理装置１０Ａ、１０Ｂ、・・・に対して、上記ステップ２００およびステップ２０２の処理が終了したか否かを判定する。ＣＰＵ７０Ａは、この判定が否定判定となった場合は上記ステップ２００に戻る一方、肯定判定となった場合にはステップ２０６に移行する。なお、本実施の形態に係る状態診断処理プログラムでは、ＣＰＵ７０Ａは、上記ステップ２００およびステップ２０２の処理を繰り返し実行する際には、それまでに処理の対象としていない画像処理装置１０Ａ、１０Ｂ、・・・のうちの１台を処理対象装置とする。
【００７７】
図１０には、上記ステップ２００およびステップ２０２の処理により記憶部７０Ｄに記憶される情報の一例が模式的に示されている。同図に示されるように、本実施の形態に係る状態診断処理プログラムでは、ＣＰＵ７０Ａは、装置特定情報と取得対象温度とを関連付けて、取得対象温度を取得した日時毎に記憶部７０Ｄに記憶する。
【００７８】
ステップ２０６では、ＣＰＵ７０Ａは、診断を実行するタイミングとして予め定められたタイミング（以下、「診断タイミング」という。）が到来したか否かを判定し、否定判定となった場合はステップ２１２に移行する一方、肯定判定となった場合にはステップ２０８に移行する。なお、本実施の形態に係る状態診断処理プログラムでは、上記診断タイミングとして、上記ステップ２００〜ステップ２０４の処理が予め定められた回数（一例として２回）だけ繰り返し実行されたタイミングを適用しているが、これに限らない。例えば、当該診断タイミングとして、本プログラムの実行中であると共に、予め定められた時刻（一例として１５時）以降で、かつ上記ステップ２００〜ステップ２０４の処理が実行されたタイミング等を適用してもよい。
【００７９】
ステップ２０８では、ＣＰＵ７０Ａは、上記ステップ２０２の処理により記憶された取得対象温度（図１０参照。）および記憶部７０Ｄに予め記憶されている診断情報（図６参照。）に基づいて、各画像処理装置１０の状態を診断する。次のステップ２１０では、ＣＰＵ７０Ａは、上記ステップ２０８による診断結果を示す診断結果表示画面をディスプレイ７０Ｆに表示する。図１１には、本実施の形態に係る診断結果表示画面の一例が示されている。同図に示されるように、本実施の形態に係る診断結果表示画面では、画像処理装置１０の各々毎で、かつ第１の期間毎に診断された装置の状態がディスプレイ７０Ｆに表示される。なお、ユーザは、診断結果表示画面の表示を終了する場合、当該診断結果表示画面の下部に表示されている終了ボタンをキーボード７０Ｅ等により指定する。
【００８０】
ステップ２１２では、ＣＰＵ７０Ａは、予め定められた終了タイミングが到来したか否かを判定し、否定判定となった場合はステップ２１４に移行する。ステップ２１４では、ＣＰＵ７０Ａは、上記ステップ２００の処理により取得対象温度を前回取得してから上記第３の期間が経過したか否かを判定し、否定判定となった場合は上記ステップ２１２に戻る一方、肯定判定となった場合には上記ステップ２００に戻る。
【００８１】
一方、ＣＰＵ７０Ａは、上記ステップ２１２において肯定判定となった場合、本状態診断処理プログラムを終了する。なお、本実施の形態に係る情報処理装置７０では、上記ステップ２１２の処理において適用する終了タイミングとして、情報処理装置７０の電源スイッチがオフ状態とされたタイミングを適用しているが、これに限らない。例えば、当該終了タイミングとして、ユーザにより、キーボード７０Ｅを介して本状態診断処理プログラムの終了を指示する指示入力が行われたタイミング等、他のタイミングを適用してもよいことは言うまでもない。
【００８２】
図１２には、上記ステップ２００およびステップ２０２の処理により記憶部７０Ｄに記憶される１台の画像処理装置１０の取得対象温度の推移の一例が示されている。なお、同図の横軸は時刻を示し、同図の縦軸は温度を示す。また、同図では、参考までに、図８に示した第２の期間毎の温度、直近期間最高温度、および直近期間最低温度の推移を併記している。
【００８３】
同図に示されるように、本実施の形態に係る情報処理装置７０は、第３の期間毎に画像処理装置１０から取得した取得対象温度を記憶部７０Ｄに記憶し、当該取得対象温度に基づいて画像処理装置１０の状態を診断する。
【００８４】
このように、本実施の形態に係る状態診断処理プログラムの実行により、第３の期間毎に画像処理装置１０から取得した取得対象温度が記憶部７０Ｄに記憶され、当該取得対象温度に基づいて、画像処理装置１０の状態が診断される。従って、２つの第１の期間内の温度の最高値および最低値を用いることにより、記憶容量の増大を招くことなく、画像処理装置１０の状態が詳細に診断される。
【００８５】
［第２の実施の形態］
上記第１の実施の形態では、画像処理装置１０がリセットを行うタイミングとは無関係に情報処理装置７０が取得対象温度を取得する場合について説明した。これに対し、本第２の実施の形態では、情報処理装置７０が取得対象温度を取得したタイミングで画像処理装置１０がリセットを行う場合について説明する。なお、本実施の形態に係る画像処理システム９０の構成は、上記第１の実施の形態に係る画像処理システム９０（図１〜図４参照。）と同様であるので、ここでの説明は省略する。
【００８６】
図１３には、本実施の形態に係る画像処理システム９０において、画像処理装置１０による情報保持機能および情報処理装置７０による状態診断機能を実行する際の機能的な構成を示す機能ブロック図が示されている。なお、同図における図５と同一の機能を有する構成要素については、図５と同一の符号を付して、その説明を省略する。
【００８７】
同図に示されるように、本実施の形態に係る画像処理装置１０のコントロール・ユニット３０は検知部３０Ｂを備えている。一方、本実施の形態に係る情報処理装置７０の取得部７０Ｉは、画像処理装置１０の記憶部３５に記憶された取得対象温度を取得した際に、当該取得対象温度を取得したことを通知する情報（以下、「取得通知情報」という。）を検知部３０Ｂに送信する。
【００８８】
一方、本実施の形態に係る検知部３０Ｂは、上記取得通知情報を受信することにより記憶部３５に記憶された取得対象情報が情報処理装置７０により取得されたことを検知する。さらに、検知部３０Ｂは、当該検知したことを通知する情報（以下、「検知通知情報」という。）を保持部３０Ａに送信する。そして、本実施の形態に係る保持部３０Ａは、上記検知通知情報を受信した場合、上記第１の実施の形態と同様のリセットを行う。
【００８９】
次に、図１４を参照して、本実施の形態に係る画像処理装置１０の情報保持処理プログラムの実行時における作用を説明する。なお、同図における図７と同一の処理を実行するステップについては図７と同一のステップ番号を付して、その説明を省略する。
【００９０】
同図に示されるように、本実施の形態に係る情報保持処理プログラムは、ステップ１２４の処理、すなわち、上記第１の期間の経過を判定する処理が省略されている点が、上記第１の実施の形態に係る情報保持処理プログラムと異なっている。従って、本実施の形態に係る情報保持処理プログラムでは、最初にリセットを行った後はリセットを行うことなく、第２の期間毎に直近温度を更新する処理を終了タイミングが到来するまで、繰り返し実行することになる。
【００９１】
また、本実施の形態に係る画像処理装置１０では、情報処理装置７０から上記取得通知情報を通信回線インタフェース部５０を介して受信した場合、ＣＰＵ３２により、割り込み処理としてリセット処理ルーチン・プログラムが実行される。
【００９２】
図１５には、本実施の形態に係るリセット処理ルーチン・プログラムの処理の流れを示すフローチャートが示されている。なお、本リセット処理ルーチン・プログラムで実行される各ステップの処理は、上記第１の実施の形態に係る情報保持処理プログラムのステップ１００〜ステップ１０８の各ステップと同一の処理であるため、ここでの説明を省略する。
【００９３】
このように、本実施の形態に係る画像処理装置１０は、上記取得通知情報を通信回線インタフェース部５０を介して受信した場合、割り込み処理としてリセット処理ルーチン・プログラムを実行しているが、これに限らない。例えば、画像処理装置１０は、記憶部３５の第１の記憶領域３５Ａおよび第２の記憶領域３５Ｂに対する情報処理装置７０によるアクセスを監視し、当該アクセスを検知した場合、割り込み処理としてリセット処理ルーチン・プログラムを実行してもよい。
【００９４】
次に、図１６を参照して、本実施の形態に係る情報処理装置７０の状態診断処理プログラムの実行時における作用を説明する。なお、同図における図９と同一の処理を実行するステップについては図９と同一のステップ番号を付して、その説明を省略する。
【００９５】
同図に示されるように、本実施の形態に係る状態診断処理プログラムは、ステップ２００の処理の直後にステップ２０１の処理が実行される点が、上記第１の実施の形態に係る状態診断処理プログラムと異なっている。本ステップ２０１では、ＣＰＵ７０Ａは、上記取得通知情報を通信回線インタフェース部７０Ｇを介して処理対象装置に送信する。
【００９６】
以上、各実施の形態を説明したが、本発明の技術的範囲は上記各実施の形態に記載の範囲には限定されない。発明の要旨を逸脱しない範囲で上記各実施の形態に多様な変更または改良を加えることができ、当該変更または改良を加えた形態も本発明の技術的範囲に含まれる。
【００９７】
また、上記各実施の形態は、クレーム（請求項）にかかる発明を限定するものではなく、また各実施の形態の中で説明されている特徴の組み合わせの全てが発明の解決手段に必須であるとは限らない。前述した実施の形態には種々の段階の発明が含まれており、開示される複数の構成要件の組み合わせにより種々の発明が抽出される。実施の形態に示される全構成要件から幾つかの構成要件が削除されても、効果が得られる限りにおいて、この幾つかの構成要件が削除された構成が発明として抽出され得る。
【００９８】
例えば、上記各実施の形態では、本発明の物理量として温度を適用しているが、これに限らず、例えば、上記物理量として、湿度を適用する形態としてもよいし、温度および湿度の双方を適用する形態としてもよい。また、上記物理量として、温度、湿度等の画像処理装置１０の環境状態を示す物理量に加えて、画像処理装置１０の各種処理による負荷の度合いを示す物理量や、画像処理装置１０の消耗の度合いを示す物理量等を適用する形態としてもよい。ここで、上記負荷の度合いを示す物理量として、画像形成部１４内の明るさを示す値、画像処理装置１０の電力消費量、記憶部３５への画像処理装置１０内からのアクセス量等が例示される。また、上記消耗の度合いを示す物理量として、画像形成部１４の現像器におけるトナーとキャリアとが混合している割合を示す値が例示される。また、上記消耗の度合いを示す物理量として、画像形成部１４の感光体ドラムにトナー濃度の測定用のパッチ画像を形成し、当該パッチ画像の濃度を測定することにより得られる当該濃度を示す値等も例示される。さらに、上記物理量として、これらの複数の物理量の組み合わせを適用する形態としてもよい。これらの場合、上記各実施の形態の物理量に代えて、適用した物理量を測定するセンサ等により当該物理量が測定される。
【００９９】
また、上記各実施の形態では、温度を測定する対象として定着器１４Ａを適用しているが、これに限らない。例えば、温度を測定する対象として、画像形成部１４の感光体ドラムや帯電ロール、原稿読取部１２等を適用する形態としてもよいし、これらの複数の組み合わせを適用する形態としてもよい。この場合、温度センサ１４Ｂは、画像処理装置１０の装置内で、かつ測定対象とする部位の近傍に設けられる。
【０１００】
また、上記各実施の形態では、情報処理装置７０により、画像処理装置１０の駆動状態を診断しているが、これに限らない。例えば、情報処理装置７０により、取得した直近期間最高温度および前回期間最高温度の各々が、不良が発生した場合の下限温度として予め定められた閾値を超えているか否かを判定すること等により、当該温度を取得した時点で画像処理装置１０に不良が発生していることを診断する形態としてもよい。また、情報処理装置７０により、画像形成部１４の転写ロールの近傍の湿度が、転写不良が発生しやすくなる場合の下限湿度として予め定められた閾値を超えているか否かを判定すること等により、転写不良が発生しやすくなっている等、画像処理装置１０の不良に関する予兆の診断を行う形態としてもよい。さらに、予兆の診断を行う別の形態として、以下に示す形態としてもよい。まず、情報処理装置７０により、画像形成部１４内の温度が、結露が発生する場合の下限温度として予め定められた閾値を超えているか否かを判定する。次に、情報処理装置７０により、画像形成部１４内の湿度が、結露が発生する場合の下限湿度として予め定められた閾値を超えているか否かを判定する。そして、情報処理装置７０によるこれら２つの判定により、結露が発生しやすく、画像処理に関する各種の不良が発生しやすくなっている等、画像処理装置１０の各種の不良に関する予兆の診断を行う。
【０１０１】
また、上記各実施の形態では、画像処理装置１０により、第１の期間内の物理量の最高値および最低値を保持しているが、これに限らず、例えば、当該最高値および最低値の何れかを保持する形態としてもよい。また、画像処理装置１０により、当該最高値から予め定められたマージン（一例として当該最高値の１０％）を減算した値や当該最低値に予め定められたマージン（一例として当該最低値の１０％）を加えた値等の中間値を保持する形態としてもよい。
【０１０２】
また、上記各実施の形態では、画像処理装置１０により、直近期間および前回期間の２つの第１の期間内の物理量を保持しているが、これに限らず、３つ以上の第１の期間内の物理量を保持する形態としてもよい。この場合の形態例としては、画像処理装置１０により、直近期間および前回期間に加え、前回期間の１つ前の第１の期間（以下、「前々回期間」という。）内の物理量を保持する形態が例示される。そして、この場合、情報処理装置７０により、前回期間および直近期間以外に、例えば前回期間および前々回期間内の物理量や、直近期間、前回期間、前々回期間の３つの期間の物理量等に基づいて、画像処理装置１０の診断を行う。
【０１０３】
さらに、上記第１の実施の形態では、画像処理装置１０により、リセットの際に、前回温度として、当該リセットの時点における直近温度を記憶しているが、これに限らない。例えば、画像処理装置１０により、リセットの際に、前回温度として、情報処理装置７０から取得対象温度が前回取得された時点における直近温度を記憶する形態としてもよい。この場合、上記第１の実施の形態で参照した図１２に対応する図、すなわち記憶部７０Ｄに記憶される取得対象温度の推移を示す図は、図１７に示されるものとなる。すなわち、この場合、上記第３の期間毎に記憶部７０Ｄに記憶される前回期間最高温度は、記憶部７０Ｄに前回記憶された直近期間最高温度と、各々等しくなる。同様に、この場合、上記第３の期間毎に記憶部７０Ｄに記憶される前回期間最低温度も、記憶部７０Ｄに前回記憶された直近期間最低温度と、各々等しくなる。
【０１０４】
その他、上記各実施の形態で説明した画像処理システム９０、情報処理装置７０、および画像処理装置１０の構成（図１〜図５，図１３参照。）は一例であり、本発明の主旨を逸脱しない範囲内において不要な部分を削除したり、新たな部分を追加したりしてもよいことは言うまでもない。
【０１０５】
さらに、上記各実施の形態で説明した各種プログラムの処理の流れ（図７，図９，図１４〜図１６参照。）も一例であり、本発明の主旨を逸脱しない範囲内において不要なステップを削除したり、新たなステップを追加したり、処理順序を入れ替えたりしてもよいことは言うまでもない。
【符号の説明】
【０１０６】
１０  画像処理装置
１４  画像形成部（処理手段）
１４Ｂ  温度センサ（測定手段）
３０Ａ  保持部（保持手段）
３０Ｂ  検知部（検知手段）
３２  ＣＰＵ（保持手段、検知手段）
３５Ａ  第１の記憶領域
３５Ｂ  第２の記憶領域
７０  情報処理装置
７０Ａ  ＣＰＵ（取得手段、診断手段）
７０Ｄ  記憶部（記憶手段）
７０Ｉ  取得部（取得手段）
７０Ｊ  診断部（診断手段）
９０  画像処理システム
【図１】
2015102816.tif 000003
【図２】
2015102816.tif 000004
【図３】
2015102816.tif 000005
【図４】
2015102816.tif 000006
【図５】
2015102816.tif 000007
【図６】
2015102816.tif 000008
【図７】
2015102816.tif 000009
【図８】
2015102816.tif 000010
【図９】
2015102816.tif 000011
【図１０】
2015102816.tif 000012
【図１１】
2015102816.tif 000013
【図１２】
2015102816.tif 000014
【図１３】
2015102816.tif 000015
【図１４】
2015102816.tif 000016
【図１５】
2015102816.tif 000017
【図１６】
2015102816.tif 000018
【図１７】
2015102816.tif 000019